(57)【特許請求の範囲】
【請求項１】
端部に設けられた平坦部に穴を有するスライドピンと、前記スライドピンの穴に一端が回動自在に係合するチェーンと、前記チェーンの他端に取り付けられ、貫通孔を有する中空ホルダと、前記ホルダ内に収容されて前記チェーンに対する前記ホルダの移動を抑制するドーナツ状弾性部材とを有し、前記スライドピンの平坦部における穴と端面との距離Ｌと前記ホルダの貫通孔の内径Ｄとが1.1≦Ｌ／Ｄ≦1.5の関係を満たすことを特徴とするネックレス。
【請求項２】
請求項１に記載のネックレスにおいて、前記ホルダが貫通孔を有する球状の中空体であることを特徴とするネックレス。
【請求項３】
請求項１又は２に記載のネックレスにおいて、前記チェーンと前記ホルダとの間に開閉フック式連結機構が設けられていることを特徴とするネックレス。
【発明の詳細な説明】
【技術分野】
【０００１】
本発明は、ペンダントトップの交換ができるようにチェーンを開放自在にするが、装身時に脱着することがないスライドピン式連結機構を有するネックレスに関する。
【背景技術】
【０００２】
ペンダントトップの交換ができるようにチェーンを開放自在にするスライドピン式連結機構を有するネックレスとして、実用新案登録第3118666号（特許文献１）は、図６に示すように、ネックレス基体11と、バチカン又は取付孔12aを介してネックレス基体11に装着されるペンダントトップ12と、ネックレス基体11の一端が取り付けられた中空球体状の止め具13と、ネックレス基体11の他端部に取り付けられたスライドピン14とを有し、止め具13は一対の貫通孔15，15を有するとともに管状弾性体16を内装し、スライドピン14は止め具13の貫通孔15，15及びペンダントトップ12のバチカン又は取付孔12aを貫通可能な外径を有し、かつスライドピン14は先行ガイド部14a及び爪掛溝部14bを有するネックレスを開示している。この構造のネックレスでは、スライドピン14は止め具13から容易に脱着することができ、もってペンダントトップ12の交換が容易である。また止め具13内の管状弾性体16がネックレス基体11に圧接されるので、止め具13はネックレス基体11に十分な強さで固定される。その結果、ネックレスは所望の長さに調節できることになる。
【０００３】
しかしながら、ネックレス基体11に取り付けるためにスライドピン14に設けた穴14cは、スライドピン14の端面から僅かな距離にあるので、ネックレス基体11が何らかの理由で引っ張られたとき、スライドピン14が簡単に止め具13から抜けることが分った。そのため、特許文献１のネックレスでは、中空球体状の止め具13の中に管状弾性体16を入れてネックレス基体11の係止力を高め、スライドピン14の脱落を防止していると考えられる。しかし、管状弾性体16は、中空球体状の止め具13を作製した後では入れづらい。従って、管状弾性体16を含有する中空球体状の止め具13は、長い金属管に同じ長さの管状弾性体を挿入し、所定の間隔で金属管を絞るとともに切断し、得られた中空球体（管状弾性体16を含有する）の両端を加工して貫通孔を設けることにより製造する。しかしながら、この製造方法では金属管を絞ることにより管状弾性体を切断するので、管状弾性体16の端面がきれいでなく、かつ貫通孔を形成した後管状弾性体16の配置によっては脱落するおそれがあることが分った。
【０００４】
【特許文献１】実用新案登録第3118666号公報
【発明の開示】
【発明が解決しようとする課題】
【０００５】
従って本発明の目的は、ペンダントトップの交換ができるようにチェーンが開放自在であるが装身時に脱着することがないスライドピン式連結機構を有するネックレスを提供することである。
【課題を解決するための手段】
【０００６】
上記目的に鑑み鋭意研究の結果、本発明者は、ホルダ内にドーナツ状弾性部材を載置するとともに、スライドピンに設ける穴を端面から離隔させることにより、装身時にスライドピンがホルダから脱落することがなく、ホルダの貫通孔の開口部がきれいに形成でき、ドーナツ状弾性部材がホルダから脱落することもないことを発見し、本発明に想到した。
【０００７】
すなわち本発明のネックレスは、端部に設けられた平坦部に穴を有するスライドピンと、前記スライドピンの穴に一端が回動自在に係合するチェーンと、前記チェーンの他端に取り付けられ、貫通孔を有する中空ホルダと、前記ホルダ内に収容されて前記チェーンに対する前記ホルダの移動を抑制するドーナツ状弾性部材とを有し、前記スライドピンの平坦部における穴と端面との距離Ｌと前記ホルダの貫通孔の内径Ｄとが1.1≦Ｌ／Ｄ≦1.5の関係を満たすことを特徴とする。
【０００８】
前記ホルダは貫通孔を有する球状の中空体であるのが好ましい。前記チェーンと前記ホルダとの間に開閉フック式連結機構が設けられているのが好ましい。
【発明の効果】
【０００９】
上記構造を有する本発明のネックレスは、装身時にチェーンが何らかの理由で引っ張られたときでも、スライドピンの穴より先の部分がホルダの貫通孔の開口縁に引っ掛かるので、スライドピンが貫通孔に進入してホルダから脱落することがない。また貫通孔の形成後にホルダ内にドーナツ状弾性部材が載置するので、貫通孔の開口部をきれいに形成でき、かつスライドピン及びチェーンに対する係止力も適度でかつ均一にできる。
【発明を実施するための最良の形態】
【００１０】
図１〜３は本発明のネックレスを示す。このネックレスは、チェーン１と、チェーン１の先端に設けられた大径の偏平状リング体1aと、偏平状リング体1aが回動自在に係合する穴21を有するスライドピン２と、チェーン１の他端に取り付けられた中空ホルダ３と、ホルダ３内に収容されたドーナツ状弾性部材４とを有する。ネックレスはまた、チェーン１から脱着自在なペンダントトップ５と、ホルダ３とチェーン１との間に設けられた開閉フック式連結機構６とを有する。
【００１１】
図２から明らかなように、スライドピン２は、棒状本体2aと、穴21を有する平坦部2bとからなり、穴21は平坦部2bの端面22から距離Ｌだけ離隔している。距離Ｌは、厳密には穴21の端と平坦部2bの端面22との最短距離である。平坦部2bの端面22には、身体に当たったときの感触を和らげるために、僅かな面取りを施すのが好ましい。
【００１２】
図２から明らかなように、偏平状リング体1aの内径のうち長径は距離Ｌより十分に長く、かつ短径は平坦部2bの幅より十分に大きいので、偏平状リング体1aは平坦部2bに妨げられずに穴21の回りに自由に回動することができる。偏平状リング体1aの外径のうち短径（幅）はスライドピン２の外径と同程度であるのが好ましい。またチェーン１の外径もスライドピン２の外径と同程度であるのが好ましい。
【００１３】
図１から明らかなように、球状中空体からなるホルダ３は一対の貫通孔3a，3aを有し、その内部にドーナツ状弾性部材４が収容されている。各貫通孔3aは、チェーン１及びスライドピン１の外径より僅かに大きい内径Ｄを有する。ドーナツ状弾性部材４は、例えばシリコンゴム等の弾性材からなり、その外径はホルダ３の内径より大きく、かつその肉厚はドーナツ状弾性部材４が貫通孔3aを通過できる程度に設定されている。従って、ホルダ３内ではドーナツ状弾性部材４は圧縮されており、ドーナツ状弾性部材４の内径はチェーン１及びスライドピン１の外径より小さくなっている。これにより、装身時にチェーン１はホルダ３により十分に係止される。
【００１４】
本発明のネックレスを閉じるには、図４に示すように、スライドピン２をチェーン１と一直線状にして、ホルダ３の貫通孔3a，3aを通す。貫通孔3a，3aとドーナツ状弾性部材４の穴は同一線上にあるので、スライドピン２はドーナツ状弾性部材４から抵抗を受けながらホルダ３を貫通する。ホルダ３を貫通したスライドピン２は、装身時には例えば図３に示すようにホルダ３から所望の距離だけ離れた位置で垂れ下がる。
【００１５】
図5(a) に詳細に示すように、チェーン１が何らかの理由で引っ張られると、ホルダ３から延出した部分が引き込まれ、スライドピン２はホルダ３に当る。スライドピン２の平坦部2bのうち穴21から先の長さＬの部分がホルダ３の貫通孔3aの縁に当るので、スライドピン２は貫通孔3aの中に入らない。鋭意研究の結果、チェーン１が引っ張られたときにスライドピン２がホルダ３から抜けるのを確実に阻止するとともに、スライドピン２をホルダ３に着脱する際に不便を感じないようにするには、スライドピン２の平坦部2bにおける穴21と端面22との距離Ｌと、ホルダ３の貫通孔3aの内径Ｄとが、1.1≦Ｌ／Ｄ≦1.5の関係を満たす必要があることが分った。Ｌ／Ｄが1.1未満であると、図5(b) に示すように、スライドピン２が傾斜してホルダ３に接近した場合、平坦部2bの端面22の面取り部が貫通孔3aの縁に当って滑り、貫通孔3aに入るおそれがある。またＬ／Ｄが1.5超であると、チェーン１が引っ張られたときにスライドピン２がホルダ３から抜けるおそれはないが、偏平状リング体1aの長径が大きくなりすぎて耐変形性が低下するとともに、スライドピン２をチェーン１と一直線状にするのに手間がかかりすぎる。好ましくは1.2≦Ｌ／Ｄ≦1.4である。
【００１６】
開閉フック式連結機構６自体は公知のものを使用できる。例えば、開閉自在なリング状フック61と、リング状フック61と係合するリング付き部材62とからなる。日常の装着には開閉フック式連結機構６を使用し、ネックレスを身体に付けたり取ったりするが、ペンダントトップ５を交換したり、チェーン１の長さを変更したりする場合には、スライドピン２の着脱を行う。
【００１７】
以上本発明のネックレスを添付図面を参照して説明したが、本発明はそれに限定されず、技術的思想の範囲内で種々の変更をすることができる。
【図面の簡単な説明】
【００１８】
【図１】開いた状態の本発明のネックレスを示す部分断面正面図である。
【図２】スライドピン及びそれに連結したチェーンを示す平面図である。
【図３】装身時の本発明のネックレスを示す部分断面正面図である。
【図４】ホルダにスライドピンを貫通する様子を示す部分断面正面図である。
【図５（ａ）】スライドピンの平坦部における穴と端面との距離とホルダの貫通孔の内径との関係であって、距離／内径が本発明の範囲内にある場合を示す拡大部分断面図である。
【図５（ｂ）】スライドピンの平坦部における穴と端面との距離とホルダの貫通孔の内径との関係であって、距離／内径が本発明の範囲内にない場合を示す拡大部分断面図である。
【図６】従来のネックレスを示す部分断面正面図である。
【符号の説明】
【００１９】
１・・・チェーン
２・・・スライドピン
2a・・・棒状本体
2b・・・平坦部
21・・・穴
22・・・端面
３・・・ホルダ
４・・・ドーナツ状弾性部材
５・・・ペンダントトップ
６・・・開閉フック式連結機構
Ｌ・・・スライドピンの平坦部における穴と端面との距離
Ｄ・・・ホルダの貫通孔の内径
【図１】
0005017020.tif 000002
【図２】
0005017020.tif 000003
【図３】
0005017020.tif 000004
【図４】
0005017020.tif 000005
【図５（ａ）】
0005017020.tif 000006
【図５（ｂ）】
0005017020.tif 000007
【図６】
0005017020.tif 000008